(57)【要約】      （修正有）【課題】極めて簡単かつ低コストで施工できる支柱基礎を提供する。【解決手段】地中Ｅに埋設されると共に、所定の間隔で離間して略平行又は直交して配置される少なくとも一対のアンカーブロック１，１と、これら一対のアンカーブロックを跨いで載置される支柱固定用ブロック３と、支柱固定用ブロックと支柱２を連結固定する連結板４とから構成する。支柱固定用ブロックからのアンカーボルト５を垂下させて、アンカーブロックの双方に配された補強用の鋼材８，８に固着し、その空間にモルタルコンクリート６を打設する。【選択図】図１
2015055133.tif 000002
【特許請求の範囲】
【請求項１】
地中に埋設されると共に、略平行又は直交して配置される少なくとも一対のアンカーブロックと、当該一対のアンカーブロックを跨いで載置される支柱固定用ブロックと、該支柱固定用ブロックと支柱を連結固定する連結具とからなることを特徴とする支柱基礎。
【請求項２】
アンカーブロックに、複数のアンカーブロック同士を水平方向に連結するための連結棹が嵌合可能な溝条を設けたことを特徴とする請求項１記載の支柱基礎。
【請求項３】
アンカーブロックがプレキャストコンクリート成形ブロックであることを特徴とする請求項１又は請求項２記載の支柱基礎。
【発明の詳細な説明】
【技術分野】
【０００１】
本発明は、建築構造物の支柱等の柱状物を保持するための基礎に関するものである。
【背景技術】
【０００２】
大規模な農業用ビニールハウスや大規模な太陽光発電施設、例えば、いわゆるメガソーラー施設等を据付ける場合、その支柱や太陽光パネルを載置した架台を支える基礎としてコンクリート又は鉄筋コンクリート床（スラブ）が使用される。具体的には、支柱の下部の埋設部をコンクリートで固めて地中に埋設するか、あるいはアンカーを立てたコンクリートの基礎を予め地面に打設し、それに立設されたアンカーボルトへ支柱の下端部を接続固定するものである。
【０００３】
従来のコンクリート床基礎工事には、コンクリートを現場に打設するためのコンクリートミキサー車、コンクリート型枠の作成作業が必要となり、さらにコンクリート打設後、約一月程度の養生期間を要し、しかもコンクリート硬化後、型枠の取り外し作業等も必要で、とくに、メガソーラー施設のような広大な敷地にコンクリートスラブを形成するには、多大な経費と工期を要する。
【０００４】
一方、支柱下部のコンクリート埋設部を予め工場等で作製した形態として現場に持ち込み、地面を掘削した穴の中にコンクリート部分を埋め戻す工法を用いれば現場作業は簡略化され、工期も短縮される。しかしながら、現場でこのような重量の大きな物を設置するためには、搬送の非効率さや重機が通行不能な山間部等の道路が狭隘な場所における施工に際しては困難が伴う。
【０００５】
そこで、例えば、発泡合成樹脂形成体を主体とする基礎でポールを保持する柱状構造物の基礎であって、基礎は発泡成形体と、その表面や内部に配された鉄板、鉄筋等の補強部材との複合体で、重量が軽く、柱状構造物の設置における重量物運搬や大型重機による設置工事、コンクリートの現場打ち作業に伴う種々の問題を解決し、工期も短く、安価で、広範囲の柱状構造物に適用できる基礎が提案されている（特許文献１参照）。また、地盤上に、土間スラブと、仮設構造物の柱脚部を支持する柱脚支持ブロックとが現場打ちコンクリートで一体的に構築され、柱脚支持ブロックの両側に、重し用のプレキャストコンクリートブロックが複数設置され、柱脚支持ブロック及び重し用のプレキャストコンクリートブロックは、水平方向へ共通に貫通させたＰＣ鋼材で緊張して一体構造とされ、大規模な仮設構造物を撤去する際に、解体・撤去作業を効率よく行い得る基礎構造が提案されている（特許文献２参照）。
【先行技術文献】
【特許文献】
【０００６】
【特許文献１】特開平１１−１５２７５９号公報
【特許文献２】特開２０００−１５６１５８号公報
【発明の概要】
【発明が解決しようとする課題】
【０００７】
本発明は、上記のような従来技術の課題に鑑み、極めて簡単かつ低コストで施工できる支柱基礎を提供することを目的とする。
【課題を解決するための手段】
【０００８】
このため本発明の支柱基礎は、地中に埋設されると共に、略平行又は直交して配置される少なくとも一対のアンカーブロックと、当該一対のアンカーブロックを跨いで載置される支柱固定用ブロックと、該支柱固定用ブロックと支柱を連結固定する連結具とからなることを第１の特徴とする。また、アンカーブロックに、複数のアンカーブロック同士を水平方向に連結するための連結棹が嵌合可能な溝条を設けたことを第２の特徴とする。さらに、アンカーブロックがプレキャストコンクリート成形ブロックであることを第３の特徴とする。
【発明の効果】
【０００９】
本発明に係る支柱基礎は、従来法のコンクリートスラブ等の基礎に代えて、プレキャストコンクリート成形ブロックを使用するもので、コンクリート打設作業及びこれに伴う型枠の撤去作業、大型の重機が不要となり工期も短期間で済む。
【図面の簡単な説明】
【００１０】
【図１】本発明に係る支柱基礎を示す正面図である。
【図２】本発明に係る基礎ブロックの平面図である。
【図３】本発明に係る支柱基礎の設置状態を模式的に示す平面図である。
【図４】本発明に係る支柱基礎の他の使用方法を示す正面図である。
【発明を実施するための形態】
【００１１】
以下、図１乃至図３を参照して、本発明に係る支柱基礎の実施の形態について説明する。尚、本発明が以下に記述する実施例に限定されないことは言うまでもない。
【実施例】
【００１２】
図１乃至図２に示すように、本発明に係る支柱基礎は、地中Ｅに埋設されると共に、所定の間隔で離間して略平行又は直交して配置される少なくとも一対のアンカーブロック１，１と、これら一対のアンカーブロック１、１を跨いで載置される支柱固定用ブロック３と、支柱固定用ブロック３と支柱２を連結固定する連結板４とからなる。
【００１３】
支柱基礎は、例えば、プレキャストコンクリート製の一対の方形状アンカーブロック１，１を主体とし、その間隙に、支柱固定用ブロック３からのアンカーボルト３を垂下させて、アンカーブロック１，１の双方に配された補強用の鋼材８，８で保持固着し、その空間にモルタルコンクリート６を打設した構成とされている。ここで、本実施例では、アンカーブロック１，１の横断面が下方に拡大する傾斜面１ｂを持った略台形状とされており、埋め戻し土圧により下方に押圧され、地中からの引き抜き強度の向上が図られている。
【００１４】
支柱固定用ブロック３は、前述したアンカーボルト３が貫通される貫通孔３ａを有し、この支柱固定用ブロック３上に立設された支柱２とアングル状の連結板４を介してボルト・ナット９により締結して固定されている。
【００１５】
また、アンカーブロック１，１には、他のアンカーブロック１，１同士を水平方向に連結するための連結棹７が嵌合可能な溝条１ａが設けられており、図３に示すように、基礎面の所定箇所に配置した支柱基礎同士を長尺の連結棹７（通常は鉄筋）を共通に緊張させて、基礎面における水平方向の安定を図る地中梁の機能を果たしている。
【００１６】
アンカーブロック１，１としては、使用状況により適度の硬度のものを使用することが可能であり、支柱２の重量等荷重が大きい場合や外力が加わりやすい構造物の場合や、割れ防止を目的として、鉄板等で補強を施してもよい。例えば、図４に示すように、アングル鋼製の支柱２等においては、スチール板面を一対の連結板５で左右から挟持して２本のアンカーボルト５を用いて固定ブロック３に固定する。
【００１７】
また、周辺土壌の含水率や性状によっては、アンカーブロック１，１の表面を合成樹脂等で被覆し、崩壊や腐食を防止することもできる。尚、アンカーブロック１，１は、その外形形状も本実施例のような方形体ではなく、円柱状、多角柱状等、用途に応じて適宜形状とすることができる。この場合には、支柱２の取り付け後のズレや回転の防止し、また、支柱２を堅牢に固着するため、支柱２とアンカーブロック１，１との接合部分に接着剤やモルタル等を塗布したり、バンド等を巻いて締結することもできる。
【符号の説明】
【００１８】
１      アンカーブロック（プレキャスト）
１ａ    連結用溝条
１ｂ    傾斜面
２      支柱（木製又はスチール製）
３      支柱固定ブロック
３ａ    ボルト貫通孔
４      連結板
５      アンカーボルト
６      打設したモルタルコンクリート
７      連結棹（鉄筋）
８      縦ボルト保持鋼材  
９      支柱固定用ボルト
Ｅ      地中
【図１】
2015055133.tif 000003
【図２】
2015055133.tif 000004
【図３】
2015055133.tif 000005
【図４】
2015055133.tif 000006